(57)【要約】【課題】発光部が水や外気の影響を受けにくい構造で、かつ機器の標準化が容易である照明装置を提供することを目的とする。【解決手段】本発明の照明装置１０は、発光部ケース１１に隣接して端子箱２０が設けられている。照明装置１０と端子箱２０との間は防水構造となっている。電源部５０から延設された外部ケーブル３２は、ケーブルグランド３１から端子箱２０内に導入され、端子箱２０に設けられた端子台２３を介してランプ１２の内部配線に接続される。発光部ケース１１と端子箱２０との間の開口部は、発光部ケース１１への外気の流入を防ぐように塞がれている。【選択図】図１
2010182495.tif 000002
【特許請求の範囲】
【請求項１】
電力供給用の内部電線を備えた発光体と、
前記発光体を収容する第１の筐体と、
前記内部電線と接続されているとともに、対応する複数の外部電線と電気的に接続可能な所定数の端子を備えた端子接続部と、
前記筐体に隣接するように配置され、前記端子接続部の少なくとも前記外部電線に接続される側の前記端子を収容する第２の筐体と、
前記第２の筐体に設けられ、前記外部電線を前記端子接続部へ導く導入部材と、
前記第１の筐体と前記第２の筐体との間に配置された防水部材と、を備えた、
ことを特徴とする照明装置。
【請求項２】
前記第１及び第２の筐体の隣接部に設けられ、前記内部電線及び／又は前記端子接続部が挿通する開口部と、をさらに備え、
前記開口部と前記内部電線及び／又は前記端子接続部との隙間が塞がれている、
ことを特徴とする請求項１に記載の照明装置。
【請求項３】
前記防水部材は、前記開口部を囲むように配置された防水パッキンである、
ことを特徴とする請求項１又は２に記載の照明装置。
【請求項４】
前記端子接続部は、前記第１及び第２の筐体間を貫通する貫通端子台である、
ことを特徴とする請求項１乃至３のいずれか１項に記載の照明装置。
【請求項５】
前記導入部材は、防水型のケーブルグランドである、
ことを特徴とする請求項１乃至４のいずれか１項に記載の照明装置。
【発明の詳細な説明】
【技術分野】
【０００１】
本発明は、ケーブルで電力供給を受けて発光する照明装置に関する。
【背景技術】
【０００２】
従来から、例えば空港で航空機を滑走路に誘導する誘導灯システムにおける閃光灯のように、屋外で使用される施設用の照明装置が広く知られている。このような照明装置では、比較的長いケーブル配線を取り回してランプを備えた発光部と電源部との間を接続している。
【０００３】
発光部と電源部（又は商用電源）とを接続する配線構成は、例えば特許文献１又は特許文献２に開示されている。
【先行技術文献】
【特許文献】
【０００４】
【特許文献１】特開２００１−０９３６７７号公報
【特許文献２】特開平０６−１６５３４４号公報
【発明の概要】
【発明が解決しようとする課題】
【０００５】
しかしながら、特許文献１，２には、屋外設置を考慮した構成は開示されていないため、照明装置の発光部が屋外での使用に伴う雨等による水や外気の影響を受けやすい。そのため、特許文献１，２に開示された技術を屋外用機器にそのまま適用すると、部品の劣化や故障が起こりやすくなるという問題点がある。
【０００６】
また、屋外用機器では現地のレイアウト計画に合わせてケーブルの長さが指定されることが多いため、機器の標準化を図ることが困難である。これにより、コストアップとなったり製造リードタイムが増大したりするといった問題点もある。
【０００７】
本発明は、上記問題点に鑑みてなされたもので、発光部が水や外気の影響を受けにくい構造で、かつ機器の標準化が容易である照明装置を提供することを目的とする。
【課題を解決するための手段】
【０００８】
上記目的を達成するため、本発明に係る照明装置は、
電力供給用の内部電線を備えた発光体と、
前記発光体を収容する第１の筐体と、
前記内部電線と接続されているとともに、対応する複数の外部電線と電気的に接続可能な所定数の端子を備えた端子接続部と、
前記筐体に隣接するように配置され、前記端子接続部の少なくとも前記外部電線に接続される側の前記端子を収容する第２の筐体と、
前記第２の筐体に設けられ、前記外部電線を前記端子接続部へ導く導入部材と、
前記第１の筐体と前記第２の筐体との間に配置された防水部材と、を備えた、
ことを特徴とする。
【発明の効果】
【０００９】
本発明によれば、外部電線を第２の筐体の内部で端子接続するように構成したため、発光部が水や外気の影響を受けにくい構造で、かつ機器の標準化が容易である照明装置を提供することができる。
【図面の簡単な説明】
【００１０】
【図１】本発明の実施形態に係る照明装置を示す外観図である。
【図２】端子箱本体の発光部ケースに対する固定部の詳細を示す部分断面図である。
【発明を実施するための形態】
【００１１】
以下、本発明の実施形態について添付図面を参照して説明する。
【００１２】
図１に示すように、本実施形態の照明装置１０は、発光部ケース１１と、ランプ１２と、透明板１３と、端子箱２０と、ケーブルグランド３１と、外部ケーブル３２と、電源部５０と、を備えている。なお、本実施形態の照明装置１０は、例えば屋外に設置される航空機用の閃光灯である。
【００１３】
照明装置１０における第１の筐体である発光部ケース１１は、図１に破線で示す凹部内にランプ１２と透明板１３とを収容している。凹部の表面は反射率の高い鏡面となっている。
【００１４】
ランプ１２は、外部からの電力供給を受けて発光する装置である。本実施形態におけるランプ１２は制御装置（図示せず）の指示に従って所定の時間及び間隔で閃光として発光可能なキセノンランプである。
【００１５】
透明板１３は、例えばガラス等の透明材料から形成された部材であり、ランプ１２からの光を透過することで照明装置１０全体として図１の左側に発光可能としている。なお、発光部ケース１１は、透明板１３の収容部において防水構造となっている。
【００１６】
照明装置１０における第２の筐体である端子箱２０は、発光部ケース１１の１面に取り付けられている。端子箱２０は、発光部ケース１１に固定された端子箱本体２１と、例えばネジ等で外部から着脱自在となるように端子箱本体２１に固定された蓋２２と、を備えている。端子箱本体２１と蓋２２との間は例えばパッキン（図示せず）が介在する等の手法により防水性が保持されている。端子箱２０の形状及び大きさ等は、例えば発光部ケース１１の大きさといった諸条件に合わせて配線作業が容易となるように適宜定められている。
【００１７】
ケーブルグランド３１は、図１では端子箱本体２１の底面に取り付けられており、電源部５０に接続された電力供給用の外部ケーブル３２を端子箱２０内に導くものである。なお、本実施形態のケーブルグランド３１は防水タイプであり、ケーブルグランド３１と端子箱本体２１との間、及びケーブルグランド３１と外部ケーブル３２との間は、それぞれ公知の手法で防水性が保持されるようになっている。
【００１８】
外部ケーブル３２は、電源部５０からの電力及び信号を供給するためのケーブルである。本実施形態における外部ケーブル３２は、電気的仕様及び環境等の条件により任意に選択することが可能である。
【００１９】
電源部５０は、図示しない制御部からの指令により、ランプ１２に例えばＤＣ（直流）２，０００Ｖの高電圧を印加する。なお、電源部５０から電圧が印加されることにより、ランプ１２はカメラのストロボの様にフラッシュし、例えば１分間に１２０回の点滅を繰返す。また、ランプ１２の点滅のために電源部５０からタイミング信号（トリガー信号）が供給されるが、本明細書では制御回路の詳細についての説明は省略する。
【００２０】
次に、端子箱本体２１の発光部ケース１１に対する固定部の詳細を図２に示す。図２において、発光部ケース１１、端子箱本体２１及びパッキン２４は図示の便宜上断面表示している。
【００２１】
図２に示すように、端子箱本体２１は、例えばゴム製のパッキン２４を介して締結部材２５により発光部ケース１１に固定されている。このパッキン２４により、発光部ケース１１と端子箱本体２１との間には防水性が保持されている。
【００２２】
図２に示す範囲で発光部ケース１１、端子箱本体２１及びパッキン２４にはそれぞれ貫通孔が形成されており、これにより発光部ケース１１と端子箱２０とは内部で連通している。本実施形態の例では、この貫通孔に端子箱２０の側から端子台２３が挿入されており、端子箱本体２１に対してネジ等の締結部材（図示せず）で固定されている。端子台２３は所謂貫通端子台と呼ばれるタイプの端子台であり、図２の如く配置されることで発光部ケース１１側及び端子箱２０側のそれぞれに所定数の金属製の端子が露出するようになっている。なお、図示されていないが、例えばパッキン等を使用して貫通部の気密性を高めるような構造としてもよい。
【００２３】
上述のように配置された端子台２３の一方の端子には、ケーブルグランド３１に導かれた外部ケーブル３２が端子３３を介して電気的に接続されている。
【００２４】
また、端子台２３の他方の端子には、ランプ１２の内部ケーブル３５が端子３４を介して電気的に接続されている。これにより、ランプ１２が電源部５０に電気的に接続されている。
【００２５】
以上説明したように、本実施形態の照明装置１０は、端子台２３を備えた端子箱２０を経由してケーブルの配線を行うように構成されている。これにより、電源部５０側の外部ケーブル３２に任意のケーブルを使用することができる。
【００２６】
従来、例えば閃光灯のような施設用の屋外の照明装置では、現地のレイアウトに合わせてケーブルの長さが指定される場合が多く、製品の標準化を図ることが困難であった。本実施形態のような構成とすることにより、外部ケーブル３２（及びケーブルグランド３１）を除く部分の標準化及びコストダウンを図ることが可能となる。例えば、図１及び図２の例では、外部ケーブル３２に任意のケーブルを使用することができるが、この場合にはケーブルグランド３１がある範囲のケーブル径等に対応可能となるように寸法等を設定しておくことで、発光部ケース１１（内部の各部品も含む）及び端子箱２０の構成を容易に標準化することが可能である。
【００２７】
また、本実施形態の構成により、屋外用の装置として求められる防水性を確保するとともに、発光部ケース１１内への外気の侵入を防止するため、発光部ケース１１及びその内部の各部に対する外気の影響を抑制することができる。
【００２８】
なお、この発明は上述した実施形態に限定されず、種々の変形及び応用が可能である。
【００２９】
例えば、端子箱２０及び端子台２３は、上述の実施形態の説明で図示したもの以外にも任意の構造とすることができる。また、端子箱本体２１の発光部ケース１１への取付部の構造も、締結部材２５を使用する以外に発光部ケース１１の形状等に応じて例えばねじ込み式のターミナルヘッド等としてもよい。
【００３０】
また、配線及び端子の数は必要に応じて任意の数とすることとしてもよく、異なる種類または太さのケーブルを外部ケーブル３２としてもよい。この場合に、例えばケーブルグランド３１を外部ケーブル３２の種類に応じて複数種類使用することができる。
【００３１】
また、照明装置１０は、上述の実施形態で説明した閃光灯に限られるものではなく、任意の用途の照明装置とすることができる。なお、この場合に電源部５０を例えば商用電源とすることとしてもよい。
【符号の説明】
【００３２】
１０  照明装置
１１  発光部ケース
１２  ランプ
１３  透明板
２０  端子箱
２１  端子箱本体
２２  蓋
２３  端子台
２４  パッキン
２５  締結部材
３１  ケーブルグランド
３２  外部ケーブル
３３  端子
３４  端子
３５  内部ケーブル
５０  電源部
【図１】
2010182495.tif 000003
【図２】
2010182495.tif 000004